(57)【特許請求の範囲】
【請求項１】
支柱脚等により地面より所定高さ位置に支持され、繊維強化プラスチック等の剛性直方体からなる外枠６に、該外枠６の底壁内側全面に沿って幅１２ｃｍの空気通路を形成する底壁空気層８をステンレス網により形成し、また前記側壁３内側全面に沿って幅１２ｃｍの空気通路を形成する側壁空気層９をステンレス網により形成し、さらに前記外枠６の短壁１に並列で３０ｃｍ間隔の仕切壁となる幅１２ｃｍの空気通路を形成する仕切壁空気層１０をステンレス網により形成し、前記外枠６の側壁３の長辺２側を支点にして観音開き状に開閉できる天井扉４及び底壁扉５を形成すると共に、前記底壁空気層８を形成するステンレス網を前記底壁扉５の開閉と同様に前記側壁３の長辺２側を支点にして観音開き状に開閉できるようにしたことを特徴とする自然発酵処理装置。
【発明の詳細な説明】
【技術分野】
【０００１】
本発明は、生ゴミ、鶏糞、牛糞、豚糞、下水汚泥、食品残滓等の有機廃棄物を特殊肥料化する自然発酵処理装置に関する。
【背景技術】
【０００２】
従来、地面を垂直壁で四角に仕切った発酵槽に生ゴミ、鶏糞、牛糞、豚糞、下水汚泥、食品残滓等の有機廃棄物を発酵菌と共に投入して堆積し、堆積された発酵菌を含む有機廃棄物の上又は中に送風機で空気を送り込んで有機廃棄物を堆肥化させていた。
しかし、堆積された有機廃棄物に均等に空気を供給するためには強力な送風機で空気を送り込む必要があり、エネルギーコストが非常に大きいという問題があった。
それを解決した自然通気を利用した処理装置がある（特許文献１を参照）。
上記公知技術は、図３に示すように、外壁２１で囲まれた空間内に底部空気通路２２と底部空気通路２２から上方に延伸する垂直空気通路２３を配して形成された第２発酵槽２０に移された有機廃棄物１には、底部空気通路２２、垂直空気通路２３から空気抜き通路２４を経て自然通気が行われて発酵が促進され、約１ヶ月で堆肥となるものである。
【特許文献１】特開２００３−８９５８９号公報
【発明の開示】
【発明が解決しようとする課題】
【０００３】
上記公知技術は、有機廃棄物が堆肥になるまで第２発酵槽に約１ヶ月収納されていなければならないため、大量に有機廃棄物がある場合には第２発酵槽を多数個用意しなければならない等の不都合があった。
本発明は、予備発酵した混合物を急速発酵により、微生物による好気性自然発酵分解から嫌気性発酵に変更し、基本発酵物が約１日で処理できる自然発酵処理装置を得ることを目的するものである。
【課題を解決するための手段】
【０００４】
本発明の自然発酵処理装置は、支柱脚等により地面より所定高さ位置に支持され、繊維強化プラスチック等の剛性直方体からなる外枠６に、該外枠６の底壁内側全面に沿って幅１２ｃｍの空気通路を形成する底壁空気層８をステンレス網により形成し、また前記側壁３内側全面に沿って幅１２ｃｍの空気通路を形成する側壁空気層９をステンレス網により形成し、さらに前記外枠６の短壁１に並列で３０ｃｍ間隔の仕切壁となる幅１２ｃｍの空気通路を形成する仕切壁空気層１０をステンレス網により形成し、前記外枠６の側壁３の長辺２側を支点にして観音開き状に開閉できる天井扉４及び底壁扉５を形成すると共に、前記底壁空気層８を形成するステンレス網を前記底壁扉５の開閉と同様に前記側壁３の長辺２側を支点にして観音開き状に開閉できるようにしたものである。
【発明の効果】
【０００５】
本発明は、自然発酵処理装置での基本発酵が約１日で処理でき、熟成発酵は屋内のコンクリート床で行うので、大量に有機廃棄物があっても簡単に対処することができる。
また、自然発酵処理装置の中による急速発酵により、微生物による好気性自然発酵分解から嫌気性発酵に変更し、コストが掛からず、環境に優しく、大量に処理が可能である。
【発明を実施するための最良の形態】
【０００６】
本発明の自然発酵処理装置は、支柱脚等により地面より所定高さ位置に支持され、繊維強化プラスチック等の剛性直方体からなる外枠６に、該外枠６の底壁全面、四周囲内側側壁３全面に沿って１２cm幅の空気通路を形成するステンレス網からなる底壁空気層８、側壁空気層９及び前記外枠６の短壁１に並列で３０ｃｍ間隔の仕切壁となるようにステンレス網からなる仕切壁空気層１０を１２cm幅に形成するものである。
前記外枠６は、前記側壁３の長辺２側を支点にして観音開き状に開閉できる天井扉４及び底壁扉５とを形成したものである。
前記仕切壁空気層１０は、前記外枠６内部にフレーム枠等により固定支持され、下方が開放されて前記底壁空気層８に連通し、上方が閉塞された細幅直方体形状となるものである。
【実施例】
【０００７】
本発明の実施例を図面に基づいて、以下に説明する。
図１の要部破断正面図、図２の縦断側面図に示すように、外枠６は、繊維強化プラスチック（ＦＲＰ）、金属又は木材の剛性体から直方体に形成され、正方形の短壁１と長辺２に形成された長方形状の側壁３と、該側壁３の長辺２側を支点にして観音開き状に開閉できる天井扉４及び底壁扉５とからなる。
なお、前記短壁１上下端は、前記天井扉４及び底壁扉５を閉めた時に外枠６全体が密閉構造となるように山型に形成される。
前記外枠６は、支柱脚等により地面より所定高さ位置に支持され、前記底壁扉５を開いた時に前記外枠６内に収納されていた有機廃棄物が自然落下するように形成される。
なお、前記天井扉４及び底壁扉５には、扉の開閉のために取手７及び閉鎖手段（図示せず）を形成する。
【０００８】
そして、前記外枠６の底壁内側全面に沿って幅１２ｃｍの空気通路を形成する底壁空気層８をステンレス網により形成し、前記側壁３内側全面に沿って幅１２ｃｍの空気通路を形成する側壁空気層９をステンレス網により形成する。
なお、前記底壁空気層８を形成するステンレス網は、前記底壁扉５の開閉と同様に前記側壁３の長辺２側を支点にして観音開き状に開閉できるようになっている。
さらに、図１に示すように、前記短壁１に並列で３０ｃｍ間隔の仕切壁となる幅１２ｃｍの空気通路を形成する仕切壁空気層１０をステンレス網により形成する。
なお、前記仕切壁空気層１０を形成するステンレス網は、前記外枠６内部にフレーム枠等により固定支持され、下方が開口されて前記底壁空気層８を形成するステンレス網に連通し、上方が閉鎖された細幅長方体形状である。
前記底壁空気層８を形成するステンレス網より下部短壁１に、外気を取り入れるための空気入気口１１を形成する。
また、前記短壁１上端には、発酵ガスを排出するガス排出口１２を形成する。
【０００９】
次に、本発明の自然発酵処理装置を利用した堆肥の製造方法について以下に説明する。
まず、堆肥に使える材料、家畜糞尿、生ゴミ、食品残滓、下水、し尿、汚泥、バーク、海草類等の有機廃棄物に木屑・籾殻等（少量の砂糖・米糠）と土壌菌を加えて水分６０％前後に配合し、混合して混合物Ａを作製する。
さらに、前記混合物Aに前に作ってある堆肥を１０％戻し、山積みにして１日程度予備発酵を行う。
この山積みでの予備発酵では、前記混合物Ａが約２０〜４０℃に発熱し、予備発酵した混合物Ｂが形成される。
予備発酵温度が３０〜４０℃になったら、撹拌スクリューコンベアによりかき混ぜながら所定高さ位置に設置されている自然発酵処理装置の外枠６内に前記混合物Ｂを天井扉４から投入する。
前記外枠６の内部はステンレス網からなる底壁空気層８、側壁空気層９、仕切壁空気層１０が設けられて小部屋１３に分割されており、予備発酵した混合物Ｂは前記仕切壁空気層１０、１０間の小部屋１３に充填され、さらに前記仕切壁空気層１０の上面を１５cm覆う厚さまで充填される。
【００１０】
前記自然発酵処理装置の外枠６では、短壁１下部の空気入気口１１から外気が自然導入され、空気入気口１１→底壁空気層８→仕切壁空気層１０又は側壁空気層９を通り、予備発酵された混合物Bに接触しながら２０℃→３０℃→４０℃と自然発酵が進み、発生した発酵ガスが前記外枠６の上部空間に充満する。
予備発酵された混合物Bは、前記仕切壁空気層１０、１０間に３０cm厚さで充填されているので、ステンレス網から中心部までは１５cmとなり、好気性菌による発酵が円滑に行われる。
【００１１】
さらに発酵が進行すると、発生した発酵ガスにより前記外枠６内が充満され、好気性菌による発酵から嫌気性菌による発酵に切り替わり、急速に嫌気性菌が増殖して約６０〜８０℃に発熱する。
なお、発酵ガスが多過ぎる場合には、前記短壁１上端のガス排出口１２から発酵ガスを大気に排気したり、配管して取り出して燃料等の用途に利用することもできる。
この状態で前記自然発酵処理装置で約２４時間自然発酵させることにより、予備発酵された混合物Bが分解されて基本発酵物Cとなる。
【００１２】
投入してから約１日後に前記自然発酵処理装置の底壁扉５から前記基本発酵物Cを取り出し、屋内のコンクリート床に堆積させ、約３０〜４０日熟成発酵させる。
前記基本発酵物Cから水分も蒸発し、発酵温度が４０℃以下になった時が二度と発酵しない堆肥として完成する。
【図面の簡単な説明】
【００１３】
【図１】本発明の自然発酵処理装置の要部破断正面図である。
【図２】本発明の自然発酵処理装置の縦断側面図である。
【図３】従来の有機廃棄物の処理装置の説明図である。
【符号の説明】
【００１４】
１：短壁
２：長辺
３：側壁
４：天井扉
５：底壁扉
６：外枠
７：取手
８：底壁空気層
９：側壁空気層
１０：仕切壁空気層
１１：空気入気口
１２：ガス排出口
１３：小部屋
【図１】
0003725141.tif 000002
【図２】
0003725141.tif 000003
【図３】
0003725141.tif 000004